(57)【要約】【課題】防塵性、通気性を確保し、見た目のデザインも着た人が満足できるような、かつ、着慣れない人でも、容易に着脱することができるクリーンスーツ。【解決手段】ポンチョ式に構成されたスーツ本体１１と、これに連結して一体に設けられたフード１２とにより構成される。スーツ本体１１の着用者の腰の近傍に、高さが異なる多段のベルト通しを持つベルト保持部１６が設けられ、裾の近傍には、その周囲に複数のスナップ１７が異なる高さ位置に並べられた裾丈調整手段が設けられる。着用者の首の位置には、首を覆うタブ１４が首の側面でフードに取り付け可能に、取り付け位置が使用者の顔回りのサイズに応じて調整可能に設けられる。フード１２の着用者の顔面を露出する開口部の上部に、顔面を覆うシールド１３を着脱可能に取り付ける取り付け部が前方に張り出して設けられる。スーツ本体１１は、着用者の首部の位置から腰部付近までの間にファスナー１９が設けられ、スーツ本体１１の上部で着脱用に大きく開口する。【選択図】　　　図１
2004115991.tif 000002
【特許請求の範囲】
【請求項１】
クリーンルーム内で着用するクリーンスーツであって、ポンチョ式に構成されたスーツ本体の胴回りに、高さの異なる複数の位置の１つに選択的にベルトを保持可能としたベルト保持手段が設けられていることを特徴とするクリーンスーツ。
【請求項２】
前記スーツ本体と前記ベルトとを連結するベルト抜け落ち防止手段を備えることを特徴とする請求項１記載のクリーンスーツ。
【請求項３】
クリーンルーム内で着用するクリーンスーツであって、ポンチョ式に構成されたスーツ本体の裾の近傍に裾丈調整手段が設けられていることを特徴とするクリーンスーツ。
【請求項４】
前記スーツ本体にフードが一体に形成され、首を覆うタブが首の側面でフードに取り付け可能とされ、取り付け位置が使用者の顔回りのサイズに応じて調整可能とされていることを特徴とする請求項１、２または３記載のクリーンスーツ。
【請求項５】
前記フードには、顔面を覆うシールドを着脱可能に取り付ける取り付け部が設けられ、シールドの取り付け部がフードから前方に張り出して構成されていることを特徴とする請求項４記載のクリーンスーツ。
【請求項６】
首回りの開口部から胴回り近傍にかけてファスナーを有し、ファスナーの開放時、着脱のための開口が開くことを特徴とする請求項１ないし５のうちいずれか１記載のクリーンスーツ。
【請求項７】
前記クリーンスーツは、着衣者が調整する部分の色が他の部分の色と異なっていることを特徴とする請求項１ないし６のうちいずれか１記載のクリーンスーツ。
【請求項８】
前記ベルト高さ調整部、前記フードのタブまたはファスナーのうち少なくとも１つが、他の部分と異なる色とされていることを特徴とする請求項１ないし６のうちいずれか１記載のクリーンスーツ。
【発明の詳細な説明】
【０００１】
【発明の属する技術分野】
本発明は、クリーンルーム内で着用するクリーンスーツに係り、特に、見学者等の来客がクリーンルームに入るときに着用するビジター向けのクリーンスーツに関する。
【０００２】
【従来の技術】
半導体製造ラインのクリーンルームで使用するクリーンスーツに関する従来技術としては、例えば、特許文献１に記載された技術が知られている。この種の従来技術によるクリーンスーツは、クリーンルームのクリーン度を維持することを最大の目的としているため、防塵性を最大限に重視してデザインされ、また、着脱のし易さを得るために、ファスナーの位置やサイズ等の工夫がなされていた。
【０００３】
しかし、見た目のデザインを重視したクリーンスーツに関する従来技術は知られていなかった。
【０００４】
【特許文献１】
特開平３−７６８０３号公報
【０００５】
【発明が解決しようとする課題】
前述した従来技術によるクリーンスーツは、防塵性を最大限に重視してデザインされているので、通気性が犠牲にされており、着用者にとって、汗をかき易く、快適性のあるものではなかった。また、従来技術によるクリーンスーツは、着脱のし易さを得るために、ファスナーの位置やサイズ等の工夫がなされているものの、着用者は、フード、スーツ、シューズ、保護メガネ、手袋等、着用者の体にぴったりしたものを別々に装着しなければならず、着脱が大変であった。さらに、従来技術によるクリーンスーツは、フリーサイズという考え方がなかったため、多種多様な体形を持つビジターのために、多数のサイズのものを取り揃えておく必要があった。
【０００６】
前述したように、従来技術によるクリーンスーツは、特に、クリーンルームに入り慣れないビジターにとって、その着脱が非常に大変であり、しかも個性のないデザインであるため、着ることによる満足感を与えることができるものではなかったという問題点を有している。
【０００７】
また、従来技術によるクリーンスーツは、着心地が悪く、長時間クリーンルーム内に滞在すると、汗をかいたり、疲れを感じさせたり、特に、クリーンスーツを着慣れない人にとって、大きなストレスを与えてしまうという問題点を有している。
【０００８】
さらに従来技術によるクリーンスーツは、生産設備やウェーハに近づかない入室者に対しても、製造技術者等と同一の仕様に作成され、しかも、多種多様な体形を持つビジターのために、多数のサイズのものを取り揃えておかなければならなかったという問題点を有している。
【０００９】
本発明の目的は、前述した従来技術の問題点を解決し、３００ｍｍミニエン半導体工場、すなわち、局所クリーンルームを用いる半導体工場で、ビジターに着用させるのに好適なクリーンスーツを提供することにある。
【００１０】
すなわち、本発明の目的は、クラス１０００（サイズ０．１μ以上のゴミが１立法フィート内に１０００個未満のクリーン度）等で必要な、ある程度の防塵性を確保しながら、通気性を確保し、見た目のデザインも着た人が満足できるようにデザインしたクリーンスーツを提供することにある。
【００１１】
また、本発明の目的は、クリーンスーツを着慣れない人でも、かぶっても、はいてもよく、簡単に着衣することができ、容易に着脱することができるクリーンスーツを提供することにある。
【００１２】
【課題を解決するための手段】
本発明によれば、前記目的は、クリーンルーム内で着用するクリーンスーツであって、ポンチョ式に構成されたスーツ本体の胴回りに、高さの異なる複数の位置の１つに選択的にベルトを保持可能としたベルト保持手段が設けられたことにより達成される。
【００１３】
また、前記目的は、クリーンルーム内で着用するクリーンスーツであって、ポンチョ式に構成されたスーツ本体の裾の近傍に裾丈調整手段が設けられたことにより達成される。
【００１４】
【発明の実施の形態】
以下、本発明によるクリーンスーツの実施形態を図面により詳細に説明する。
【００１５】
図１は本発明の一実施形態によるクリーンスーツの形状を説明する図、図２はフード、シールド及びタブの詳細を説明する図、図３はベルト保持手段、ベルト抜け落ち防止手段及びベルトの詳細を説明する図である。図１〜図３において、１１はスーツ本体、１２はフード、１３はシールド、１４はタブ、１５はベルト、１６はベルト保持部、１７、１８、１８’、３１、３２はスナップ、１９はファスナー、２１はシールド取り付け部、２２、２３は面状ファスナー、３３はベルト通し、３４は連結金具、３５は穴、３６はベルト止めリングである。
【００１６】
本発明の一実施形態によるクリーンスーツは、図１（ａ）にその着用状態を示しているように、ポンチョ式に構成されたスーツ本体１１と、スーツ本体１１に連結して一体に設けられ頭部を覆うフード１２とにより構成される。そして、スーツ本体１１の胴回りの着用者のほぼ腰となる位置の近傍に、高さの異なる複数の位置に多段に設けられるベルト通しを持ち、高さの異なるベルト通しの１つを選択してベルト１５を保持可能としたベルト保持部１６が設けられている。なお、このベルト保持部１６については、その詳細を後述する。
【００１７】
また、スーツ本体１１のスカート状に広がる裾の近傍には、その周囲に複数のスナップ１７が異なる高さ位置に並べられて構成される裾丈調整手段が設けられている。この裾丈調整手段は、図１（ｂ）に裾の下から見た図として示すように、裾を内側に折り曲げて、適宜の高さ位置にあるスナップ１７により結合することにより、スーツ本体１１の裾丈を調整することができる。
【００１８】
また、スーツ本体１１とフード１２とが連結される着用者の首の位置には、首を覆うタブ１４が首の側面でフードに取り付け可能に、取り付け位置が使用者の顔回りのサイズに応じて調整可能に設けられている。なお、このタブ１４については、その詳細を後述する。
【００１９】
さらに、フード１２の着用者の顔面を露出する開口部の上部、着用者の額の位置には、顔面を覆うシールド１３を着脱可能に取り付ける取り付け部が設けられている。シールド取り付け部は、後述するようにフード１２から前方に張り出して構成され、スナップ１８によりシールド１３が取り付けられるようにされている。
【００２０】
また、スーツ本体１１は、着用者の首部の位置から腰部付近までの間にファスナー１９が設けられ、このファスナーを開くことにより、スーツ本体１１の上部が大きく開口するように構成される。スーツの着用者は、この開口を使用して、スカート状の裾からかぶっても、開口からはいても、簡単に着衣することができ、容易に着脱することができる。
【００２１】
さらに、前述したように、スーツ本体１１の裾がスカート状に構成されているため、着用者がスカート等を着用した女性の場合にも、簡単に、容易に着脱することができる。また、スーツ本体１１の裾がスカート状であるため、スカート状のスーツ本体の内側から着用者の衣服からの塵埃等が落下することがあるが、通常、クリーンルームは、床面からの排気を行っており、しかも、クラス１０００程度の防塵性を確保すればよいので、問題となることはない。
【００２２】
また、袖口部は、二重構造となっており、外見が筒袖でありその内側にゴム等を用いて手首に止められる袖口が設けられて構成される。これにより、見た目のデザインを通常のスーツのように見せることができ、袖丈の調整を行うことが可能となり、かつ、発塵を防止することができる。
【００２３】
次に、図２を参照して、フード１２へのシールド１３の取り付けの機構、タブ１４による顔回りの調整について説明する。
【００２４】
図２（ａ）、図２（ｂ）に示すように、フード１２の着用者の顔面を露出する開口部の上部、着用者の額の位置には、その長手方向が額の曲線に沿ってカールし、その断面が逆Ｌ字型に構成されたシールド取り付け部２１が設けられる。このシールド取り付け部２１は、フード１２に取り付けられたとき、着用者の額の位置から突出して、逆Ｌ字型の１つの面が着用者の額に略並行となる。この着用者の額に略並行となる突出したシールド取り付け部２１の面の裏側には、シールド１３を取り付けるための複数のスナップ１８が設けられている。
【００２５】
シールド１３は、透明部材により顔面に沿った曲面を持って形成され、その上端部には、前述した突出したシールド取り付け部２１に設けられるスナップ１８に結合するスナップ１８’が設けられている。シールド取り付け部２１に設けられるスナップ１８にシールド１３に設けられるスナップ１８’を結合することにより、図２（ａ）、図２（ｂ）に示すように、シールド１３は、着用者の顔面を覆うように、取り付けられることになる。
【００２６】
このシールド１３の取り付け時、その下端が、少なくとも着用者の口部を覆うようにシールド１３の長さが決められている。また、着用者の顔面とシールド１３との間には、シールド取り付け部２１の逆Ｌ字型のもう１つの面の長さに相当する空間が形成され、着用者の顔の側部及び下部が開放されるので、図２（ｂ）に示すように、スーツ着用者が眼鏡を使用している場合にも邪魔になることがなく、また、シールド１３による圧迫感を着用者に与えることもない。さらに、着用者の口部を覆うようにされているため、会話時に飛ぶ唾液の飛沫が、製品等の方向に飛ぶようなことも防止することができる。
【００２７】
タブ１４は、スーツ本体１１とフード１２とが連結される位置に設けられる帯状の部材であり、一端がフード１２の下端部で、着用者の耳の下付近の位置に直接取り付けられており、その他端に面状ファスナー２３が設けられている。一方、フード１２の着用者の前述とは反対側の耳の下付近の首の側面となる位置には、タブ１４に設けた面状ファスナー２３と結合可能な面状ファスナー２２が設けられている。
【００２８】
前述したようなタブ１４を使用し、クリーンスーツの着用者は、スーツを着てフード１２を被った後、タブ１４を自分の首を覆うように回してタブ１４に設けられる面状ファスナー２３を、フード１２側に設けられている面状ファスナー２２に結合させる。これにより、使用者は、自分の顔回りのサイズに応じてフード１２の顔面の開口の大きさを調整することができる。
【００２９】
前述では、タブ１４の一端がフード１２の下端部に直接取り付けられるとして説明したが、本発明は、タブ１４を独立に形成し、その両端に面状ファスナーを設け、フード１２の下方の両サイドに設けた面状ファスナーに結合させるようにすることもできる。
【００３０】
次に、図３を参照して、ベルト保持手段、ベルト抜け落ち防止手段及びベルトの構造について説明する。
【００３１】
ベルト保持手段１６は、図３（ａ）に示すように、異なる高さ位置に設けられる複数段（図示例では３段）のベルト通し３３により構成される。このようなベルト保持手段１６は、スーツ本体１１の胴回りの複数箇所に設けられる。そして、ベルト保持手段１６の１箇所のベルト通し３３のそれぞれには、ベルト１５を通したときに、ベルト１５の抜け落ちを防止するためにベルト１５を結合するスナップ３１が設けられている。スーツの着用者は、ベルト保持手段１６の複数段に設けられるベルト通し３３の１つを選択して、ベルト１５を通しベルト側のスナップ３２とベルト通しに設けられるスナップ３１とを結合することにより、自分の腰の部分等のスーツを着用し易い位置でベルト１５を固定することができる。
【００３２】
一方、ベルト１５は、図３（ｂ）に示すように、ベルトの長さを調整することができる連結金具３４がベルトの両端に設けられて構成され、ベルト通し側のスナップ３１に対応する位置にスナップ３２が設けられている。また、ベルト１５は、連結金具３４の一方の側にベルトの長さを調節するためのベルトを通す穴３５を備え、この穴３５にベルトを通して折り返してベルト止めリング３６により折り返された側のベルトの端部を胴回りを締めるベルトに重ねて止めることにより長さを調節することができる。この場合、折り返される側のベルトが、内側となるようにすると、ベルトを連結金具３４で連結してベルトをしたときに、折り返される側のベルトが、胴回りを締めるベルトの下側に固定されることになり、外側に出て邪魔になることがない。
【００３３】
前述した本発明の実施形態によるクリーンスーツは、スーツ本体、フード、ベルトのそれぞれが、ポリエステル長繊維で織られた通気性のある織物構造を有する布により構成されるのが好適であり、布内に導電糸を織り込んだものを使用すれば、静電気の発生を抑えることができ、さらに好適である。
【００３４】
前述したように本発明の実施形態によるクリーンスーツは、スーツ本体１１とフード１２とを一体に形成し、スーツ本体１１をポンチョ式に形成して、着用者の首部の位置から腰部付近までの間にファスナー１９を設け、このファスナーを開くことにより、スーツ本体１１の上部が大きく開口するように構成されているので、スーツの着用者が、この開口を使用して、簡単に着衣することができ、容易に着脱することができる。
【００３５】
また、本発明の実施形態によるクリーンスーツは、首回りに設けて自分の顔回りのサイズに応じてフード１２の顔面の開口の大きさを調整すること可能にするタブ１４、胴回りを締めるベルトの高さ位置を調整可能なベルト保持部１６、裾の長さを調節可能としたスナップ１７、袖丈を調整可能とした袖部の構造による各種の調整手段が設けられているので、どのような体形の人もこれらの調整手段を使用して、スーツを自分の体に合ったものとして着用することができる。
【００３６】
そして、本発明の実施形態は、さらに、スーツを着用する人が、スーツの着脱時に調整あるいは操作する部位の色を他の部分と異ならせて、それらの部分を着用者に判り易くすることができる。また、これらの色を各種用意することにより、スーツの着用者がどのような人か、例えば、説明員か、来客のリーダーか等を一目で判るようにすることができる。特に、タブ１４を独立に構成した場合、タブ１４だけに多数の色を用意するようにすることができる。この場合、スーツ上の色を変えて製造するよりも低コストとすることができるので、着用者を多種類に分けることができる。
【００３７】
すなわち、端末の部分と色を異ならせる部分としては、タブ１４、ファスナー１９を含むファスナー両サイドの帯状部、ベルト保持部１６を構成するベルト通し３３、スーツ本体の裾付近の周囲、ベルト１５の少なくとも１つであってよい。これらの部分の色は、どのような色でもよいが、スーツ本体１１の色に対して目立つ色がよく、一方で、フード１２を含むスーツ本体１１の色はなるべく目立たない清潔な色、例えば、白色、灰色、薄水色等がよい。
【００３８】
以上、本発明によるクリーンスーツの実施形態を説明したが、本発明は、前述した実施形態にのみ限定されるものではなく、例えば、次のように変形することが可能である。
【００３９】
すなわち、フードは、スーツ本体と一体としなくても、スナップ等によりスーツ本体に着脱可能としてもよい。また、シールドは、必要がなければ取り付けずにおいてもよく、逆に、シールド取り付け部に固定して取り付けたままとしてもよい。腰回りのベルト保持部を構成するベルト通しは、３段でなく任意の段数であってよい。ファスナーの位置、角度、開口サイズ等は任意に決めてよい。さらに、スーツ本体の色を複数用意して、クリーンルーム内部での着用者の識別を可能にしてもよい。
【００４０】
【発明の効果】
以上説明したように本発明によれば、ある程度の防塵性を確保しながら、通気性を確保し、見た目のデザインも着た人が満足できるようにデザインしたクリーンスーツを提供することがてき、また、クリーンスーツを着慣れない人でも、簡単に、容易に着脱することができるクリーンスーツを提供することができる。
【図面の簡単な説明】
【図１】本発明の一実施形態によるクリーンスーツの形状を説明する図である。
【図２】フード、シールド及びタブの詳細を説明する図である。
【図３】ベルト保持手段、ベルト抜け落ち防止手段及びベルトの詳細を説明する図である。
【符号の説明】
１１　スーツ本体
１２　フード
１３　シールド
１４　タブ
１５　ベルト
１６　ベルト保持部
１７、１８、１８’、３１、３２　スナップ
１９　ファスナー
２１　シールド取り付け部
２２、２３　面状ファスナー
３３　ベルト通し
３４　連結金具
３５　穴
３６　ベルト止めリング
【図１】
2004115991.tif 000003
【図２】
2004115991.tif 000004
【図３】
2004115991.tif 000005